(57)【要約】  台座要素は：下地材料Ｆ又はベースのような構造体に取り付け可能な第一部分と；構造体に沿ってれんがを支持し保持するための第二部分であって、第二部分が上段部分を有していて、はめ込み要素が、れんがのはめ込み溝要素相互係合するように上段部分から上向きに突出している第二部分と；モルタル無し壁面を作るための積層式相互係合型れんが、ブロック、石等用の台座要素が提供されている。構造体に対面しているれんがの内表面に少なくとも一部分が接触するように、はめ込み要素から下向きに傾斜している第三部分と；を備えている。台座要素は、構造体と壁面との間で水を排水し空気を循環することを可能にする手段を備えている。
2008527209.tif 000002
【特許請求の範囲】
【請求項１】
壁面構造体に沿ってモルタル無し壁面を作るための積層式相互係合型れんが用の台座要素であって、前記れんが各々は、れんがが積み上げられた場合にお互いに係合するように形成されているはめ込み突起要素とはめ込み溝要素とを有していて、前記れんがは前記壁面構造体に対面している内表面を有している台座要素において、前記台座要素は：
ａ．前記壁面構造体に取り付け可能な第一背面部分と；
ｂ．前記壁面構造体に沿って前記れんがを支持し保持するための第二部分であって、前記第二部分が上段部分を有していて、はめ込み要素が、前記れんがの前記はめ込み溝要素相互係合するように前記上段部分から上向きに突出している第二部分と；
ｃ．前記れんがの前記内表面に少なくとも一部分が接触するように、前記はめ込み要素から下向きに傾斜している第三中段部分と；
を具備する台座要素。
【請求項２】
少なくとも前記積層式相互係合型れんがのいくつかを、前記台座要素を介して前記壁面構造体に取り付けるために、前記第一背面部分に留め具用開口部を有している、請求項１に記載の台座要素。
【請求項３】
前記台座要素がほぼ剛なシートのような材料で作られている、請求項２に記載の台座要素。
【請求項４】
前記材料が、鋼、アルミニウム、プラスチック及びガラス繊維から選択されている、請求項３に記載の台座要素。
【請求項５】
前記第三中段部分が、前記れんがの前記内表面の少なくとも一部分とほぼ係合する形状を有している、請求項４に記載の台座要素。
【請求項６】
前記第三中段部分は、前記れんがの内表面より短かくなっている、請求項５に記載の台座要素。
【請求項７】
さらに、前記第三中段部分から後方に延伸しているタブを備えている、請求項６に記載の台座要素。
【請求項８】
さらに、前記タブから垂直に延伸している第四部分を備えている、請求項７に記載の台座要素。
【請求項９】
前記第一背面部分が、前記第一背面部分と前記壁面構造体との間にスペースを形成している少なくとも一つの排水／換気用チャンネルを備えている、請求項１に記載の台座要素。
【請求項１０】
前記排水／換気用チャンネルがほぼ垂直に延伸している、請求項９に記載の台座要素。
【請求項１１】
壁面構造体に沿ってモルタル無し壁面を作るための積層式相互係合型れんが用の台座要素であって、前記れんが各々は、れんがが積み上げられた場合にお互いに係合するように形成されているはめ込み突起要素とはめ込み溝要素とを有していて、前記れんがは前記壁面構造体に対面している内表面を有している台座要素において、前記台座要素は：
ａ．前記壁面構造体に取り付け可能な第一部分と；
ｂ．前記壁面構造体に沿って前記れんがを支持し保持するための第二部分であって、前記第二部分が上段部分を有していて、はめ込み要素が、前記れんがの前記はめ込み溝要素相互係合するように前記上段部分から上向きに突出しているはめ込み要素を有している第二部分と；
ｃ．前記れんがの前記内表面に少なくとも一部分が接触するように、前記はめ込み要素から下向きに傾斜している第三部分と；
ｄ．前記第三部分から前記壁面構造体へ向かって後方に延伸している第四部分と；
ｅ．前記上段部分と前記第四部分の間で垂直に延伸している第五部分と；
を具備する台座要素。
【請求項１２】
少なくとも前記積層式相互係合型れんがのいくつかを、前記台座要素を介して前記壁面構造体に取り付けるために、前記第一部分に留め具用開口部を有している、請求項１１に記載の台座要素。
【請求項１３】
前記台座要素がほぼ剛なシートのような材料で作られている、請求項１２に記載の台座要素。
【請求項１４】
前記材料が、鋼、アルミニウム、プラスチック及びガラス繊維から選択されている、請求項１３に記載の台座要素。
【請求項１５】
前記第三部分が、前記れんがの前記内表面の少なくとも一部分とほぼ係合する形状を有している、請求項１４に記載の台座要素。
【請求項１６】
前記第三部分は、前記れんがの内表面より短かくなっている、請求項１５に記載の台座要素。
【請求項１７】
前記第一部分及び前記第五部分が、前記第一部分と前記第五部分と前記壁面構造体との間にスペースを形成している少なくとも一つの排水／換気用チャンネルを備えている、請求項１１に記載の台座要素。
【請求項１８】
前記排水／換気用チャンネルがほぼ垂直に延伸している、請求項１７に記載の台座要素。
【請求項１９】
さらに前記上段部分と前記第四部分との間で垂直に延伸している第六部分を備えており、従って前記第五部分がほぼ前記第六部分と前記第三部分との間に位置するようになっている、請求項１１に記載の台座要素。
【請求項２０】
前記台座要素がほぼ横方向に延伸していて、前記台座要素は、前記第六部分が存在する横方向に延伸している区画と、前記第六部分が存在していない横方向に延伸している区画とを備えており、前記第六部分が存在していない前記横方向に延伸している区画が排水／換気用チャンネルを画成している請求項１９に記載の台座要素。
【請求項２１】
前記排水／換気用チャンネルが前記上段部分と前記第四部分とを貫通して延伸している請求項２０に記載の台座要素。
【請求項２２】
積層式相互係合型れんがを用いて、構造体に沿ってモルタル無し壁面等を作るための方法であって、前記れんがは、れんがが積み上げられた場合にお互いに係合するように形成されているはめ込み突起要素とはめ込み溝要素とを有していて、前記方法が台座要素を使用することを含んでいて、前記台座要素が、前記構造体に取り付け可能な第一部分と；前記構造体に沿って前記れんがを支持し保持するための第二部分であって、前記第二部分が上段部分を有していて、はめ込み要素が、前記れんがの前記はめ込み溝要素相互係合するように前記上段部分から上向きに突出している第二部分と；前記れんがの前記内表面に少なくとも一部分が接触するように、前記はめ込み要素から下向きに傾斜している第三中段部分と；を具備している、モルタル無し壁面を作るための方法において：
ａ）前記構造体における任意の基準マークを選択する段階と、
ｂ）前記基準マークに対して一定のレベルを保証するために、基準マークから所定距離に第二マークを設定する段階と、
ｃ）留め具を用いて前記台座要素の前記第一部分を一定のレベルで前記構造体に取り付ける段階と、
ｄ）前記れんがを前記台座要素に相互係合して積み上げる段階と、
ｅ）れんがの最下段列を画成するために、前記れんがのいくつかを、前記留め具を用いて前記構造体に前記台座要素を介して取り付ける段階と、
ｆ）前記最下段列にれんがの次の列を相互係合して積み上げる段階と、
ｇ）少なくとも四列ごとに、少なくとも数個のレンガを構造体に取り付ける段階と、
を含んでいるモルタル無し壁面等を作るための方法。
【請求項２３】
前記段階ｅ）において、前記れんがのすべてが前記構造体に取り付けられている、請求項２２に記載の方法。
【請求項２４】
積層式相互係合型れんがを用いて構造体に沿ってモルタル無し壁面を作るための方法であって、前記れんがは、れんがが積み上げられた場合にお互いに係合するように形成されているはめ込み突起要素とはめ込み溝要素とを有していて、前記方法が台座要素を使用することを含んでいて、前記台座要素が、前記壁面構造体に取り付け可能な第一部分と；前記壁面構造体に沿って前記れんがを支持し保持するための第二部分であって、前記第二部分が上段部分を有していて、はめ込み要素が、前記れんがの前記はめ込み溝要素相互係合するように前記上段部分から上向きに突出している第二部分と；前記れんがの前記内表面に少なくとも一部分が接触するように、前記はめ込み要素から下向きに傾斜している第三部分と；前記第三部分から前記壁面構造体へ向かって後方に延伸している第四部分と；前記上段部分と前記第四部分の間で垂直に延伸している第五部分と；を具備している、モルタル無し壁面を作るための方法において：
ａ）前記構造体における任意の基準マークを選択する段階と、
ｂ）前記基準マークに対して一定のレベルを保証するために、基準マークから所定距離に第二マークを設定する段階と、
ｃ）留め具を用いて前記台座要素の前記第一部分を一定のレベルで前記構造体に取り付ける段階と、
ｄ）前記れんがを前記台座要素に相互係合して積み上げる段階と、
ｅ）れんがの最下段列を画成するために、前記れんがのいくつかを、前記留め具を用いて前記構造体に前記台座要素を介して取り付ける段階と、
ｆ）前記最下段列にれんがの次の列を相互係合して積み上げる段階と、
ｇ）少なくとも四列ごとに、少なくとも数個のレンガを構造体に取り付ける段階と、
を含んでいるモルタル無し壁面等を作るための方法。
【請求項２５】
前記段階ｅ）において、前記れんがのすべてが前記構造体に取り付けられている、請求項２４に記載の方法。
【請求項２６】
壁面構造体に沿ってモルタル無し壁面を作るための積層式相互係合型れんが用の台座要素であって、前記れんが各々は、れんがが積み上げられた場合にお互いに係合するように形成されているはめ込み突起要素とはめ込み溝要素とを有していて、前記れんがは前記壁面構造体に対面している内表面を有している台座要素において、前記台座要素は：
ａ．前記壁面構造体に取り付け可能な第一背面部分と；
ｂ．前記壁面構造体に沿って前記れんがを支持し保持するための第二部分であって、前記第二部分が上段部分を有していて、はめ込み要素が、前記れんがの前記はめ込み溝要素相互係合するように前記上段部分から上向きに突出している第二部分と；
ｃ．前記れんがの前記内表面に少なくとも一部分が接触するように、前記はめ込み要素から下向きに傾斜している第三中段部分と；
ｄ．前記第三部分から前記壁面構造体へ向かって後方に延伸している第四部分と；
ｅ．前記第一部分から前記壁面構造体へ向かって後方に延伸しているタブと；
を具備する台座要素。
【請求項２７】
前記第一背面部分が前記壁面構造体に調整可能に取りつけられるようになっている、請求項２６に記載の台座要素。
【請求項２８】
さらに、前記第一部分と前記第三部分との間に複数の支持部分を備えている、請求項２６に記載の台座要素。
【請求項２９】
前記タブが、取り付け手段により穴を介して前記壁面構造体に取り付けられるようになっている、請求項２６に記載の台座要素。
【請求項３０】
さらに、前記第一背面部分にほぼ平行な第二背面部分を備えている、請求項２６に記載の台座要素。
【請求項３１】
前記タブが、さらに“Ｖ−ノッチ”を備えていて、前記“Ｖ−ノッチ”は前記第一背面部分と前記第四部分との接続部分に配置されている、請求項２６に記載の台座要素。
【請求項３２】
前記台座要素が、ほぼ剛なシートのような材料で作られている、請求項２６に記載の台座要素。
【請求項３３】
前記材料が、鋼、アルミニウム、プラスチック及びガラス繊維から選択されている、請求項３２に記載の台座要素。
【請求項３４】
前記第三中段部分が、前記れんがの前記内表面の少なくとも一部分とほぼ係合する形状を有している、請求項３３に記載の台座要素。
【請求項３５】
前記第一背面部分が、前記第一背面部分と前記壁面構造体との間にスペースを形成している少なくとも一つの排水／換気用チャンネルを備えている、請求項２０に記載の台座要素。
【請求項３６】
前記排水／換気用チャンネルがほぼ垂直に延伸している、請求項３５に記載の台座要素。
【発明の詳細な説明】
【技術分野】
【０００１】
本発明は、モルタル無し壁面を作るための積層式相互係合型のれんが、ブロック、石等、特に積層式相互係合型のれんが、ブロック、石等用の台座要素に関する。
【背景技術】
【０００２】
モルタル無し壁面等用の積層式相互係合型れんがは公知なものである。モンタルのような接着剤により保持されることなく積み上げられはめ込まれる壁面取り付け用ブロックは知られている。そのようなブロックのあるものは、トング要素を備えた上面とはめ込み溝要素を備えた下面とを有している。両要素は、ブロックが積み上げられる場合、ブロックの下面が下方に配置されたブロックの上面に係合するようになっていて、一方ブロックの上面は上方に配置されたブロックの下面に係合するようになっている。そのようなブロック例は、米国特許第６，１０８，９９５別明細書に開示されている。
【０００３】
一般的には、モルタル無し壁面設置する第一段階は、台座要素を（ねじ、釘等により）構造体の所定位置（通常水平位置）に取り付けることである。台座要素は、れんがの最下列又は最下段として非常に重要なものである。通常、台座要素は長手方向に延伸している。わずかに角度のついたアングル材又はＬ字型ビームである。時に、第一列は特別に設計されたベース又はフートれんが（ｆｏｏｔ  ｂｒｉｋ）で作られていて、それらは木材、金属又はコンクリートで作られた基礎の上に単純に置かれている。
【０００４】
そのような要素は重くて、所定の長さに切断することが困難であり、そして取り付けにコストがかかる。
【０００５】
従って、軽くて、安価で、取り付けが簡単で、迅速かつ効率的にれんがを積み重ねることができる、積層式相互係合型れんが用の台座要素の開発が必要とされている。
【発明の開示】
【発明が解決しようとする課題】
【０００６】
従って本発明の目的は、前述の欠点を克服した積層式相互係合型れんが、ブロック、石等用の台座要素を提供することである。
【０００７】
別の目的は、迅速に積層式相互係合型れんが、ブロック、石等を取り付けることのできる台座要素を提供することである。
【０００８】
別の目的は、簡単に積層式相互係合型れんが、ブロック、石等を取り付けることのできる台座要素を提供することである。
【０００９】
他の目的は、安価で簡単に製作することのできる積層式相互係合型れんが、ブロック、石等用の台座要素を提供することである。
【００１０】
他の目的は、モルタル無し壁面を作るのに必要とされる時間を確保することのできる積層式相互係合型れんが、ブロック、石等用の台座要素を提供することである。
【００１１】
本発明の他の目的及び利点は、以下の説明又は特許請求の範囲における実施形態を理解することにより明瞭になり、当業者においては、これ以外の利点も理解できるであろう。
【課題を解決するための手段】
【００１２】
これらの目的を達成するために、モルタル無し壁面を作るための積層式相互係合型れんが、ブロック、石等用の台座要素が提供されていて、以下に詳述されている。れんが、ブロック、石等の各々は、積み重ねられる場合相互係合するようになっているはめ込み突起要素とはめ込み溝要素とを有している。以下の説明において、用語“れんが”はブロック及び石のような積み重ねることのできる製品を含んでいる。
【００１３】
前記台座要素は：下地材料Ｆ又はベースのような構造体に取り付け可能な第一部分と；前記構造体に沿って前記れんがを支持し保持するための第二部分であって、前記第二部分が上段部分を有していて、前記第二部分が、前記れんがの前記はめ込み溝要素相互係合するように前記上段部から上向きに突出している第二部分と；構造体に対面している前記れんがの内表面に少なくとも一部分が接触するように、前記はめ込み要素から下向きに傾斜している第三部分と；を備えている。台座要素を構造体の所定位置に取り付けるために留め具を受容するべく穴が備えられている。これらの開口部は、れんがを構造体に取り付けるためにれんがの内側から突出している留め具を受容することもできる。
【００１４】
台座要素は、構造体と壁面との間で水を排水し空気を循環することを可能にする手段を備えている。
【００１５】
台座要素は、鋼、プラスチック、アルミニウム、ガラス繊維のようなシート状材料で作られていて、ポリビニールクロライド（“ＰＶＣ”）又はアルミニウムのようなプラスチック（好ましくは再利用材料）から押出し成形されていてもよい。
【００１６】
好ましくは、留め具はねじ、釘、ダウエル、ピン等で作られている。
【００１７】
積層式相互係合型れんがを用いて、構造体に沿ってモルタル無し壁面等を作るための方法であって、前記れんがは、れんがが積み上げられた場合にお互いに係合するように形成されているはめ込み突起要素とはめ込み溝要素とを有していて、前記方法が台座要素を使用することを含んでいるモルタル無し壁面等を作る方法が提供されている。
【００１８】
前記モルタル無し壁面を作るための方法が、
ａ）前記構造体における任意の基準マークを選択する段階と、
ｂ）前記基準マークに対して一定のレベルを保証するために、基準マークから所定距離に第二マークを設定する段階と、
ｃ）留め具を用いて前記台座要素の前記第一部分を一定のレベルで前記構造体に取り付ける段階と、
ｄ）前記れんがを前記台座要素に相互係合して積み上げる段階と、
ｅ）れんがの最下段列を画成するために、前記れんがのいくつかを、前記留め具を用いて前記構造体に前記台座要素を介して取り付ける段階と、
ｆ）前記最下段列にれんがの次の列を相互係合して積み上げる段階と、
ｇ）少なくとも四列ごとに、少なくとも数個のレンガを構造体に取り付ける段階と、
を含んでいる。
【００１９】
従って本発明は、構造、部品の組合せ、部品の配置を含んでいるものであって、発明の範囲は特許請求の範囲に説明されている。
【００２０】
添付図面を用いて、本発明を以下に詳述する。
【発明を実施するための最良の形態】
【００２１】
添付図を用いて、本発明における好適な実施形態を説明するけれども、本説明は例示のためのものであり、限定することを意図しているものではない。
【００２２】
図面及び記載は本発明を説明するためのものである。詳細については、特許請求の範囲内において変更されてもよい。従って、台座要素１０の形状及びサイズは、壁面６及びれんが１の必要性及び特性を考りょして所望するように形成されてもよい。
【００２３】
図１−４において、本発明の第一実施形態である積層式相互係合型れんが用の台座要素が全体として符号１０で図示されている。
【００２４】
図１において、台座要素１０は標準的な取り付け状態で図示されている。台座要素１０は、構造体に沿って、例えば下地材料Ｆを介して、積層式相互係合型れんが１を用いてモルタル無しの壁面６を建設するために使用するべく作られたものである。台座要素１０は、特別な形状をしていて、以下に説明する。
【００２５】
図２，３及び４に図示するように、各れんがははめ込み突起要素２とはめ込み溝要素３とを有していて、れんがが積層される場合それらはお互いに係合されるようになっている。
【００２６】
図１において、台座要素１０が第一上部分２０を備えていて、第一上部分は下地材料Ｆに調整可能に取り付けられるようになっていて、そして下地材料Ｆに沿ってれんがを保持するべく第二下部分３０から上向きに延伸している。第二下部分３０が上段部分３１と中段部分３３と下段部分３４とを有していて、上段部分３１ははめ込み要素３２を備えており、そのはめ込み要素３２は、れんが１のはめ込み溝要素３と相互係合するように上段部３１から上向きに突出しており、中段部分３３は、れんが１の内表面４の一部分に接触するようにはめ込み要素３２から下向きに傾斜していて、下段部分３４は中段部分３３から下地材料Ｆに向かって後方に延伸している。留め具４０が台座要素１０の第一上部分２０を下地材料Ｆの所定位置に取り付けるようになっている。台座要素１０は下地材料Ｆにねじ込まれるか留められている。台座要素１０はくぎ打ち又はその他の取り付け手段により所定位置に取り付けられる。一般にモルタル無し壁面６は、所定位置に基礎を作り、相互係合型れんが１の積層を開始するために台座要素１０を基礎周囲に取り付ける。
【００２７】
第二留め具５０が、少なくとも一つの積層式相互係合型れんが１の上部区画５を台座要素１０を介して下地材料Ｆに締め付けるのに使用されている。
【００２８】
台座要素１０、１１０又は２１０は、比較的薄くて剛な、鋼、アルミニウム、プラスティック、繊維ガラス材料等のシート材料で作られている。
【００２９】
下部３４の自由端部３５は下地材料Ｆから所定距離に位置している。この距離は、本例では１−１５ｍｍの範囲であって、れんが１のはめ込み溝要素３を使用するのに十分な台座要素１０の可撓性を可能なものにしている。中段部分３０はれんが１の下地材料に面している。表面４より短かくなっていて、れんが１が取り付けられると台座要素１０は隠れるようになっている。
【００３０】
中段部３３は、れんが１の下地材料に面している表面４の少なくとも一部分と係合するようないずれの形状であってもよい。
【００３１】
留め具４０，５０は釘、ねじ、ボルト、ダウエル、ピン等であってもよい。
【００３２】
台座要素１０を用いて、れんが１を積み上げた場合にお互いに係合するはめ込み突起要素２とはめ込み溝要素３とを有している積層式相互係合型れんが１により下地材料Ｆに沿ってモルタル無しの壁面６を設置する方法を以下に説明する。
【００３３】
図１−４において、その方法は以下の主要段階を含んでいて、
ａ）下地材料Ｆにおける任意の基準マークを選択する段階と（図示せず）、
ｂ）基準マークに対して一定のレベルを保証するために、基準マークから所定距離に第二マークを設定する段階と（図示せず）、
ｃ）留め具４０を用いて台座要素１０を一定のレベルで下地材料Ｆに取り付ける段階と（図１参照）、
ｄ）れんが１を台座要素１０に相互係合して積み上げる段階と（図２参照）、
ｅ）れんが１の最下段列７を画成するために、各れんが１を、留め具５０を用いて下地材料Ｆに台座要素１０を介して取り付ける段階と（図３参照）、
ｆ）モルタル無し壁面６等を下地材料Ｆに沿って作るために、最下段列７に沿って次の列を相互係合して積み上げる段階と、
ｇ）少なくとも四列ごとに、少なくとも数個のレンガを下地材料Ｆに沿って取り付ける段階であって（図４参照）；れんが１のその列はモルタル無し壁面６の寸法及び位置に応じて取り付ける必要がある段階と、
を含んでいる。
【００３４】
台座要素１００の別の実施形態を図５に図示する。本実施形態において、台座要素は、下部分１３０と、下部分から上向きに延伸している上部分１２０とを備えている。上部分１２０は、ねじ、釘、ボルト等により壁面構造体（通常は下地材料）に取り付けられるようになっている。下部分１３０が上段部分１３１と中段部分１３３と下段部分１３４とを有していて、上段部分１３１ははめ込み要素１３２を備えており、そのはめ込み要素１３２は、れんが１のはめ込み溝要素３と相互係合するように上段部分１３１から上向きに突出しており、中段部分１３３は、れんが１の内表面４の一部分に接触するようにはめ込み要素１３２から下向きに傾斜していて、下段部分１３４は中段部分１３３から下地材料Ｆに向かって後方に向かって延伸している。一連の開口部１３５が下段部分１３４に作られている。これらの開口部１３５は、包囲空間１３９の中へ流入してくるいずれの水をも排水するようになっていて、そして台座要素を基礎（図示せず）又は他の構造体要素に取り付けるために留め具の使用を可能にしている。
【００３５】
本発明における第三の実施形態を図６−１０に図示する。本実施形態において、台座要素２１０がコア部分２３０から上向きに延伸しているはめ込み要素２３２を備えていて、そのはめ込み要素２３２はれんがのはめ込み溝要素３とお互いに係合するようになっている。コア要素２３０は、ねじ、釘、ボルト等により穴２３８を介して壁面構造体（一般に下地材料）に取り付けられるようになっている。コア要素２３０が下段部分２３４と、中段部分２３３と、背面部分２３６とを有していて、中段部分２３３ははめ込み要素２３２から下向きに傾斜しており、少なくともその一部分がれんが１の、の内表面４と接触するようになっていて、背面部分２３６は下段部分２３４とかみ込み要素２３２との間で垂直に延伸している。タブ２４０が背面部分２３６から後方に延伸している。タブ２４０は、ねじ、釘、ボルト等により穴２３５を介して壁面構造体（通常基礎を介して）に取り付けられるようになっている。“Ｖ−ノッチ”２３７が、好ましくは背面部分２３６とタブ２４０との接続部分に形成されていて、タブが必要でない場合ナイフ等でタブ２４０を容易に除去できるようになっている。
【００３６】
本発明における台座要素３１０の第四の実施形態を図１１−１５に図示する。第四の実施形態における台座要素３１０は、第三の実施形態における台座要素２１０とほぼ同様なものである。しかしながら、台座要素３１０は、空気及び／又は水が台座要素３１０とれんが１の壁面６が設置されている構造体との間を流れることを可能にしている。従って、この台座要素３１０は、下地材料Ｆ及び／又は他の同様な構造体なしに構造体に取り付けることができるようになっている。
【００３７】
図１１，１２に台座要素３１０の詳細を図示する。当業者は台座要素２１０と台座要素３１０との間の類似性を理解できるであろう。従って台座要素２１０と同様に、台座要素３１０は、ねじ、釘、ボルト等により、穴３３８を介して壁面構造体に取り付けられるようになっている、主又はコア部分３３０を有している。上部はめ込み部分３３２がコア部分３３０から延伸していて、れんが１のはめ込み溝要素３と係合するようになっている。前面部分３３３ははめ込み部分３３２から下向きに傾斜して延伸している。前面部分３３３は少なくとも一部分がれんが１の構造体に面している表面に接触している。前面部分３３３の端部において、水平な下段部分３３４が後方に延伸している。第一背面部分３３６は上部かみ込み部分３３２と下段部分３３４との間でほぼ垂直に延伸している。台座要素３１０は第二背面部分３４６を有していて、第二背面部分は、上部かみ込み部分３３２と下段部分３３４との間でほぼ垂直に延伸している。図１１及び１２に図示するように、第一背面部分３３６は、前面部分３３３と第二背面部分３４６との間に設置されている。
【００３８】
台座要素３１０完全性を保ち剛性を付加するために、支持部分３４１及び３４２が、好ましくは前面部分３３３と第一背面部分３３６と第二背面部分３４６との間に追加されている。台座要素３１０の材料の剛性及び／又は壁面６の最終重量とのようないくつかの外部パラメータに応じて、支持部分３４１及び３４２の数及び位置が変更されてもよい。
【００３９】
タブ３４０は下段部分３３４からほぼ後方に延伸している。タブ３４０は、ねじ、釘、ボルト等により穴（図示せず）を介して壁面構造体（一般に下地材料）に取り付けられるようになっている。タブ３４０と下段部分３３４と第二背面部分３４６との間の接続部分にＶ−ノッチ又は溝３３７があって、台座要素３１０に沿ってほぼ横方向に延伸している。このノッチ又は溝３３７は、タブ３４０が不要な場合ナイフ等により容易に除去することを可能にしている。
【００４０】
図１１−１５に図示するように、台座要素３１０において第二背面部分３４６は台座要素３１０の横方向全体に沿って延伸していないのに対して、第一背面部分３３６は台座要素３１０の横方向全体に沿って延伸している。図１４，１５に図示するように、第二背面部分３４６はほぼ等間隔３５６で欠落している。従って、台座要素３１０は、第二背面部分３４６が存在するほぼ横方向に延伸している区画と、第二背面部分３４６が存在していないほぼ横方向に延伸している区画とを有している。第二背面部分３４６の存在していないことが、水の排水及び／又は空気の循環をほぼ可能にしている排水キャビテ又はチャンネル及び／又は換気キャビテ又はチャンネル３４７を形成している。従って、これらの排気／換気チャンネル３４７は、構造体と壁面６との間に水がたまり、そして空気が流れることを可能にしている。
【００４１】
図１２に図示するように、チャンネル３４７は上段部分３３２から下段部分３３４へ延伸している。構造体と壁面６との間にある水のいずれもが台座要素３１０を通過して地上に排水することができる。さらに、空気が外部と、構造体及び壁面６の間の区域との間を流れるので、外部圧力と、構造体及び壁面６の間の区域における圧力とは等圧になっている。
【００４２】
図１１−１５に図示するチャンネル３４７が好ましくはほぼ垂直であるけれども、絶対的な必要条件ではない。チャンネル３４７は角度が付いていてもよいしギザギザな側面であってもよい。チャンネル３４７が、水の適切な排水と適切な換気を可能にしている限り、チャンネル３４７の最終形状は重要なものではない。
【００４３】
下地材料Ｆが排水及び／又は換気チャンネルを形成するべく構造体に設置されているので、台座要素３１０は下地材料Ｆがなくても構造体に取り付けることができる。当業者においては、下地材料Ｆにより形成されたチャンネルは、第二背面部分３４６のないチャンネル３４７に置きかえることができることを理解できるであろう。
【００４４】
台座要素３１０は、排水を強化するために、下段部分３３４、前面部分３３３及び／又は第一背面部分３３６に設置された排水穴（図示せず）をさらに備えていてもよい。さらに、これらの穴は、台座要素３１０の取り付け時に設置及び／又は追加されてもよい。これらの穴は、水が台座要素３１０の内部又は近くにたまることをほぼ防止することができる。
【００４５】
特定の例を用いて、構造体に沿ってモルタル無し壁面を建設するための積層式相互係合型れんが用の本発明における台座要素を説明してきたけれども、本開示は例示として説明されたものであって、本発明がここで説明し例示したものに限定されるものではなくて、特許請求の範囲に規定した発明の範囲と精神にもとずく変更と修正とが含まれるものであることは、理解されるべきである。
【図面の簡単な説明】
【００４６】
【図１】図１は、本発明における積層式相互係合型れんが用の台座要素の第一実施形態の側面図である。
【図２】図２は、れんがと相互係合状態にある図１における台座要素の側面図である。
【図３】図３は、本発明による台座要素を用いた積層式相互係合型れんがにより建設されたモルタル無し壁面の斜視図である。
【図４】図４は、図３の側面図である。
【図５】図５は、本発明における第二実施形態の側面図である。
【図６】図６は、本発明における第三実施形態の斜視図である。
【図７】図７は、図６における台座要素の断面図である。
【図８】図８は、本発明による台座要素を取り付ける準備のできた典型的な壁面の斜視図である。
【図９】図９は、図８における壁面に設置された、図６における台座要素の側面図である。
【図１０】図１０は、図９における台座要素の側面図であって、台座要素の上には複数の積層式れんがが設置されている。
【図１１】図１１は、本発明における第四実施形態の斜視図である。
【図１２】図１２は、図１１における台座要素を線Ａ−Ａで切断した側面段面図である。
【図１３】図１３は、図１１における台座要素の正面図である。
【図１４】図１４は、図１１における台座要素の背面図である。
【図１５】図１５は、図１１における台座要素の平面図である。
【図１】
2008527209.tif 000003
【図２】
2008527209.tif 000004
【図３】
2008527209.tif 000005
【図４】
2008527209.tif 000006
【図５】
2008527209.tif 000007
【図６】
2008527209.tif 000008
【図７】
2008527209.tif 000009
【図８】
2008527209.tif 000010
【図９】
2008527209.tif 000011
【図１０】
2008527209.tif 000012
【図１１】
2008527209.tif 000013
【図１２】
2008527209.tif 000014
【図１３】
2008527209.tif 000015
【図１４】
2008527209.tif 000016
【図１５】
2008527209.tif 000017
【国際調査報告】
2008527209.tif 000018
2008527209.tif 000019
2008527209.tif 000020